(57)【要約】【課題】照明設計工程における業務の効率化と照明設計者のレベル均衡化を図り、さらに顧客へのプレゼンテーション手法を確立した自動照明設計方法、照明効果閲覧方法、自動照明設計システム、自動照明設計用サーバーを提供する。【解決手段】自動照明設計システムの提供側システム（Ａ）は、インターネットＮＴ１を通じてＷｅｂサイトを公開するためのＷｅｂサーバーを構成するサーバーコンピュータ１と利用者側ネットワーク端末（Ｂ）から、利用者が入力した照明設計対象図面の任意情報を元に、データベース２ａから近似建築設計図面データを自動検索するサーバーコンピュータ２と、利用者が確定した照明設計対象図面に対して、データベース３ａより、条件別の照明設計と照明設計に関連する各種情報の抽出とそれらの条件を反映したコンピュータグラフィックス画像作成処理とを統括的に行うサーバーコンピュータ３で構成される。【選択図】図１
2004252530.tif 000002
【特許請求の範囲】
【請求項１】
一般住宅建築物における照明設計工程の円滑化と照明設計レベルの均一化を目的とし、該ＷＥＢサイトを通じ、利用者側に、照明設計対象となる建築図面と近似する図面を自動的に検索するステップと、近似図面に対する最も効果的な照明設計を条件別に自動抽出する過程を通じ、照明設計時の作業工程のシステム化と、照明設計者のレベルに関わらず一定水準の照明設計方法を具現化するステップとから成ることを特徴とする自動照明設計方法。
【請求項２】
建築物への照明の配光による効果を、インターネットを介したコンピュータシステムを通じ、画像を用いて直感的に確認できるステップと、調光・ウォークスルー機能など双方向性を重視し、利用者側にて任意な操作を可能としたシステムを特徴とする照明効果閲覧方法。
【請求項３】
予め登録された利用者側のネットワーク端末と、該利用者側ネットワーク端末にネットワークを通じて接続される自動照明設計方法提供側システムとで構成され、利用者側ネットワーク端末に対して、上記の請求項１及び請求項２を具現化する情報を格納したデータベースを介して、近似建築設計図面、照明設計図面、イメージ画像を提供するＷＥＢ公開手段を少なくとも備えていることを特徴とする自動照明設計システム。
【請求項４】
上記提供側システムには、システムに格納された建築設計図面データベースを有し、利用者側ネットワークからの条件に対して、自動的に近似建築設計図面を検索し、数点の候補情報とともに提供する近似建築設計図面検索機能を有することを特徴とする
【請求項５】
記載の自動照明設計システム。
【請求項６】
上記提供側システムは、利用者側ネットワークに対して、抽出した近似建築設計図面から条件別に最適な照明設計図面を抽出する機能と、ＪＩＳ規格の配線用図記号にてプロットした照明配灯図面と使用照明器具を元に、３次元のコンピュータグラフィックスにて作成されたイメージ画像と部屋別の使用照明器具を提供するとともに、使用照明器具の他候補表示機能、器具承認図ダウンロード機能などを提供できるＷＥＢ公開手段を少なくとも備えていることを特徴とする請求項３又は４記載の自動照明設計システム。
【請求項７】
上記提供側システムは、ＷＥＢを通じて、建築物への照明による効果を、３次元のコンピュータグラフィックス画像を用いて直感的に確認でき、さらに、その画像に対して調光・ウォークスルー機能などの利用者側にて任意操作可能な機能を提供し、空間の雰囲気を視覚的に確認することが出来ることを特徴とする請求項３又至５の何れか記載の自動照明設計システム。
【請求項８】
建築設計図面、照明設計関連図面を格納するデータベースと、利用者側ネットワーク端末を介して、利用者側から要求される情報を元に近似建築設計図面検索機能、照明設計機能のステップから、照明配灯図面、イメージ画像、部屋別の使用照明器具などの一連の情報と機能を提供するＷＥＢサイトの公開機能を備えたことを特徴とする自動照明設計用サーバー。
【発明の詳細な説明】
【０００１】
【発明の属する技術分野】
本発明は、自動照明設計方法、照明効果閲覧方法、自動照明設計システム、自動照明設計用サーバーに関するものであり、住宅照明分野における照明設計工程の円滑化（もしくは効率化）と照明設計レベルの向上、また顧客へのプレゼンテーション力強化を目的としたシステムである。
また本発明は、すべての構成要素をインターネット技術を用いて構成している。
【０００２】
【従来の技術】
従来、住宅照明設計を行う照明設計業者は、顧客である建築施主からの依頼に対して、建築設計図面を元に、顧客の要望を踏まえた照明設計を提案し、顧客−照明設計者間での合意により完成をさせていた。しかし、照明設計という観点から見ると、「照明は光っていればよい」というものではない。
照明設計の優劣が建築物の居住性等に与える影響には大きなものがある。それは、照明設計者個々の照明に対する学術的視野及び技術的なノウハウ・スキルに負うところが大きく、通常、顧客側で照明設計者個々の技術レベルを事前に把握することは不可能である。従って、技術レベルが乏しい未成熟な照明設計者からの提案でも、顧客は何ら疑問を呈することなく提案に承諾している現状があることは否定できない事実である。
また、照明設計者が示した、照明による光の効果に関しても、照明設計者の頭の中だけに描かれていることがほとんであり、それを具現的にかつ直感的に、顧客に認識させる手段はなかった。
【０００３】
【本発明が解決しようとする課題】
照明設計技術は、設計者個人の考え方、センス、努力、経験などさまざまな要素が絡み合って習得出来得るものであるため、その技術ノウハウは設計者個人に負うところのものである。従って、その成果物には照明設計に関する能力や経験等によって大きな差が生じることは言うまでも無い。こうした設計者の技術レベルの不均衡を是正し底上げを図るためには、やはり長期間の実戦経験による鍛錬以外に方法が無いのが現実であり、この問題を早期に解決することは極めて困難である。
こうしたことから、設計者の技術レベルが未成熟であることが原因で、顧客に不利益を与えてしまうという実態が隠されている。
【０００４】
また、一般住宅における間取り情報は、似通った場合がほとんどであるが、それらの間取り情報を分類・標準化し、データベース化されたものはなく、照明設計者は、それぞれの図面において一から照明設計を施しているという問題があった。
さらに、住宅照明設計には標準的な仕様がなく、あらゆるメーカーの膨大な数の照明器具データから選定する必要があり、その照明器具選定、器具承認図取得、照明設計配灯図作成など、一物件における照明設計工程にはかなりの時間を要することがある。
【０００５】
一方、照明設計者が顧客に対して、照明設計を提案する際において、現状では建築図面にプロットした照明配灯図と照明器具の写真のみを記述した書類を用いる場合が大半である。  これでは、実際の照明効果のイメージを視覚的・直感的に理解頂くことが難しいという問題があった。
【０００６】
上述のように、照明設計という分野では、照明設計者側の技術レベル、照明設計工程、照明設計提案時において様々な問題が存在する。
本発明は、照明設計における各個人に有する設計レベルの向上（或いは底上げ）と円滑な照明設計工程の実現を目的とし、さらに顧客がいかに照明効果を直感的に感じ取ることができるかについて解決するシステムである。
また、各構成要素をインターネット技術を用いて構築されていることにより、対象を照明分野における特定の人物のみならず、不動産業、ハウンジング業、建築設計業など、不特定多数に対して、インターネットを介してサービスの提供をすることが出来る。
【０００７】
【課題を解決するための手段】
上述の照明設計レベル、照明設計工程の問題解決を達成するために、請求項１の自動照明設計方法の発明では、設計者はコンピュータシステムを用いて、建築設計データベースと照明設計データベースに接続し、近似建築設計図面を数点の候補と共に、自動的に検索・表示するステップと、その建築設計図面に対して、最適な照明設計を自動的に抽出するステップから成り、照明設計者個々に有するレベルを問わず、一定水準以上の照明設計提供を可能とする。
【０００８】
請求項２の照明効果閲覧方法の発明では、利用者側に対して照明による建築物の照明効果と、照度および視点の変化による空間の様子を３次元のコンピュータグラフィックス画像を用いて提供するステップと、利用者側において、それを任意に制御できる手段を備えていることを特徴とする。
【０００９】
請求項３の自動照明設計システムの発明では、予め登録された利用者側のネットワーク端末と、システム提供側ネットワーク端末とで構成され、提供側システムに、建築設計図面情報を格納するデータベースと、照明設計情報を格納するデータベースと連携し、照明設計者側ネットワーク端末に対して、建築設計図面の候補表示、照明配灯図、照明器具情報、照明器具承認図および上述の調光、ウォークスルー機能を提供するイメージ図、プランボードを公開するＷＥＢ公開手段とを少なくとも備えていることを特徴とする。
【００１０】
請求項４の自動照明設計システムの発明では、利用者側ネットワークからの、建築設計図面情報（間取りなど）に対して、近似となる建築設計図面を自動的に検索し、数点の候補情報とともにＷＥＢ公開する近似建築設計図面検索機能を有することを特徴とする。
【００１１】
請求項５の自動照明設計システムは、利用者側ネットワークに対して、抽出した近似建築設計図面から条件別に最適な照明設計を行う機能を有し、さらには、照明配灯図面、調光、ウォークスルー機能をもつ３次元照明設計イメージ図、照明器具承認図面、プランボード、使用照明器具および他候補照明器具情報を公開するＷＥＢ公開手段を少なくとも備えていることを特徴とし、建築物の照明効果を直感的に確認でき、任意な操作を可能とする機能を有することを特徴とする。
【００１２】
請求項６の自動照明設計システムは、インターネットを通じて、照明設計による建築物の照明効果を、３次元のコンピュータグラフィックス画像を用いて利用者側ネットワークに提供し、照明効果を直感的に確認できる情報の提示、さらに、その画像に対して調光・ウォークスルー機能などを有し、光の増減における照明効果および視点の変更による空間のイメージを公開することを特徴とする。
【００１３】
請求項７の自動照明設計サーバーの発明では、建築設計図面、照明設計関連図面を格納するデータベースと、利用者側ネットワーク端末に対して、近似建築設計図面を提供する近似建築設計図面検索機能と、その建築設計図面に対して、条件別に最適な照明設計を自動選択し、照明配灯図面、イメージ画像、部屋別の使用照明器具などの一連の情報を提示するＷＥＢサイトの公開機能を備えたことを特徴とする。
【００１４】
【発明の実施の形態】
以下本発明を添付図面を参照しながら実施形態により説明する。
図１は本発明の自動照明設計システムの全体的なシステム構成を示しており、このシステムは、自動照明設計システム提供側システム（Ａ）（以下．．．提供側システム）と、この提供側システムに対して既存のネットワークであるインターネットＮＴ１を通じて接続された利用者側のパーソナルコンピュータ等からなるネットワーク端末（Ｂ）とで構成される。
【００１５】
ここで、本発明の利用者は、照明設計者、不動産業、ハウンジング業、建築設計業など不特定多数の人物をさし、提供側は、自動照明設計システムの構築・運用・保守が可能な、事業主とする。
【００１６】
さて、提供側システム（Ａ）はインターネットＮＴ１を通じて公開するためのＷｅｂサイトを公開するためのＷｅｂサーバーを構成するサーバーコンピュータ１と利用者側ネットワークから、建築設計図面検索の際に利用者が入力した任意情報を元に、データベース２ａから近似建築設計図面データを自動検索する機能を備えたサーバーコンピュータ２と、サーバーコンピュータ２で自動検索した近似建築設計図面に対して、データベース３ａより、条件別の照明設計を抽出し、照明配灯図面、照明器具承認図面、プランボード、使用照明器具および他候補照明器具情報、調光、ウォークスルー機能をもつイメージ図を提供するサーバーコンピュータ３で構成され、これらのサーバーコンピュータ１〜３はローカルネットワークにより接続されて相互間に情報の授受を行うようになっている。
勿論夫々のサーバー機能のプログラムを備えた１台のコンピュータによって構成しても良い。
【００１７】
利用者側ネットワーク端末（Ｂ）はパーソナルコンピュータ等により構成され、搭載しているＷｅｂブラウザによって提供側システム（Ａ）のサーバーコンピュータ１が構築している自動照明設計サイトにアクセスして、自動照明設計システムを利用することが出来る。
【００１８】
次に図２を元に本発明の自動照明設計システムの機能概要について説明する。
【００１９】
自動照明設計システムは大きく３つの機能で構成される。
各機能が連携を行い自動照明設計システムを構築している。
【００２０】
近似図面抽出機能とは、本自動照明設計システム利用者（以下より利用者）が、照明設計対象となる建築設計図面に近似した建築設計図面の抽出を行うための機能である。
近似図面抽出機能はサーバーコンピュータ２とデータベース２ａの連携により提供される。
【００２１】
照明設計機能とは、近似図面抽出機能にて選定された建築図面に対して、照明設計を行うための機能である。
選定された建築図面の特徴を認識し、利用者の要求パターン別に応じた照明設計を行うことができる。
照明設計機能はサーバーコンピュータ３と照明設計に関わるデータを格納するデータベース３ａとの連携により機能する。
【００２２】
コンピュータ・グラフィックス生成機能とは、照明設計された照明配灯図、使用照明器具、インテリア仕様を基に、３次元のコンピュータ・グラフィックス画像にて出力を行うための機能であり、サーバーコンピュータ３とコンピュータ・グラフィックス生成に関するデータを格納するデータベース３ａとの連携により機能する。
【００２３】
次に本発明の自動照明設計システムについて図３に基づいて詳説する。
【００２４】
まず、本発明の自動照明設計システムの利用希望者は、予め利用者登録をする必要がある。この利用者登録は、本システムにアクセスして行う。
【００２５】
つまり利用希望者は、インターネット端末（Ｂ）に搭載しているＷｅｂブラウザによって自動照明設計システムのＵＲＬに対してアクセスする。
【００２６】
このアクセスがあると提供側システム（Ａ）のサーバーコンピュータ１は、自動照明設計システムのページ１０のＨＴＭＬで記述されたファイルをｈｔｔｐにより当該ネットワーク端末（Ｂ）に送信し、Ｗｅｂブラウザの閲覧画面上にページ１０を表示させる。
【００２７】
このホームページ１０は導入ページであり、既に登録済の利用者が、自動照明設計システムを使用するための自動照明設計ボタン１０１と利用登録のための利用者登録ボタン１０２が表示され、これらのボタン１０１，１０２をクリックすることで夫々の対応する画面を呼び出すことができるようになっている。
【００２８】
ここで利用者登録ボタン１０２が画面上でポインティングデバイス等にクリック操作されるとその操作情報がサーバーコンピュータ１に送られ、サーバーコンピュータは利用者登録申込み入力画面１１のページファイルをネットワーク端末（Ｂ）へ送り出してネットワーク端末（Ｂ）のＷｅｂブラウザに表示させる。
【００２９】
この利用者登録申込み入力画面１１は、図３に示すように利用登録に必要な情報を入力するための入力窓１１ａを設けており、登録を行う利用者はこの入力窓１１ａに自動照明設計システム利用に必要な情報を入力し、送信ボタン１１１をクリック操作すれば入力情報がシステム提供側のメールアドレス宛に電子メールＭが送信されることになる。
【００３０】
この入会申し込みの情報を電子メールＭとして受信した提供側では当該利用者に対してオフライン若しくは電子メールにより交付するＩＤ及び初期パスワードを知らせて、利用者登録が終了したことを知らせる。
【００３１】
利用者登録された顧客は自動照明設計システムの利用をするための認証にこれらＩＤ及びパスワードを使用する。
【００３２】
また提供側システム（Ａ）ではサーバーコンピュータ２のデータベースにＩＤ、パスワードを含む利用者情報を格納する。
【００３３】
さて上述の利用者登録が終了したユーザーは、認証画面１２のＩＤ入力欄１２ａにＩＤを、またパスワード入力欄１２ｂにパスワードを入力し、送信ボタン１２１をクリック操作すれば、次の建築図面選定方法選択画面に進むことができ、自動照明設計システムを利用することができるのである。
【００３４】
即ち上記送信ボタン１２１が操作されると、ＩＤ及びパスワードがサーバーコンピュータ１を通じてサーバーコンピュータ２へ転送され、サーバーコンピュータ２は、受け取ったＩＤ及びパスワードをデータベース２ａに格納されている利用者情報から検索することによって認証を行う。
【００３５】
建築図面選定方法選択画面１３は、提供側システム（Ａ）のサーバーコンピュータ１から、ネットワーク端末（Ｂ）に送信され、Ｗｅｂブラウザに表示される。
【００３６】
この建築図面選定方法選択画面１３は、建築設計図面の選定方法を選ぶページである。建築図面検索ボタン１３１は、あらかじめシステム側により分類され提供している検索ステップを元にデータベース２ａに格納されている建築設計図面から、近似建築設計図面を抽出する際に使用するボタンである。
一方、検索対象建築図面作成ボタン１３２は、利用者自身により任意の建築設計図面をプロットし、また任意の情報を付加することにより、データベース２ａに格納されている建築設計図面から、近似建築設計図面を抽出する際に使用する。
【００３７】
さて、建築図面検索ボタン１３１が操作されると、サーバーコンピュータ１は、ネットワークを介して、建築図面検索条件入力画面１４を当該ネットワーク端末（Ｂ）のＷｅｂブラウザの閲覧画面上に表示させる。
【００３８】
この建築図面検索条件入力画面１４には、建築タイプ入力欄１４ａと間取タイプ入力欄１４ｂと建築物における部屋別の面積入力欄１４ｃ、建築物の特徴を入力する１４ｄ、検索ボタン１４１が存在する。
【００３９】
建築タイプ入力欄１４ａでは、ハウジングメーカー１戸建住宅、集合住宅（マンション）、注文設計住宅などの選択項目より利用者側が任意に決定する。
なお、建築タイプの選択項目は一例に過ぎず、特に限定されるものではない。
【００４０】
間取タイプ入力欄１４ｂでは、予め建物の間取りを分類したタイプ（Ａタイプ、Ｂタイプ‥）の選択項目より利用者側が決定する。
分類したタイプ名は、
Ａタイプ‥キッチン独立型上下セパレート
Ｂタイプ‥キッチン独立型左右セパレート
Ｃタイプ‥リビング独立型上下セパレート
Ｄタイプ‥リビング独立型左右セパレート
Ｅタイプ‥ＬＤＫ型上下セパレート
Ｆタイプ‥ＬＤＫ型左右セパレート
から構成される。
なお、上述のタイプは一例に過ぎず、特に限定されるものではない。
【００４１】
面積入力欄１４ｃでは、建築物を構成するリビング、ダイニング、キッチンなどの面積を、○畳以上〜○畳以下、○畳以上〜といった分類より利用者が任意に選択入力する。
面積を表現する単位は、平方メートル、畳夫々において個別に入力することも可能である。
【００４２】
特徴入力欄１４ｄは、検索対象の建築物に合わせて、対面キッチン、吹き抜け天井などのキーワードを一つ以上入力することができる。
【００４３】
さて、この建築図面検索条件入力画面１４に上述の検索条件を入力し、検索ボタン１４１をクリック操作すると、検索条件は、サーバーコンピュータ１を通じてサーバーコンピュータ２に受け渡され、サーバーコンピュータ２は、この検索条件に基づいて、データベース２ａに格納している建築設計図面からもっとも条件に合致した建築設計図面を抽出し、数点の候補と共に表示させるためのページファイルを生成するようにサーバーコンピュータ１に指示し、サーバーコンピュータ１は生成した建築図面検索結果一覧画面を利用者側ネットワーク端末のＷｅｂブラウザの閲覧画面上に表示させる。
【００４４】
一方、建築図面選定方法選択画面１３における検索対象建築図面作成ボタン１３２が操作されると、サーバーコンピュータ１は、ネットワークを介して、検索対象建築図面作成画面１５を当該ネットワーク端末（Ｂ）のＷｅｂブラウザの閲覧画面上に表示させる。
【００４５】
この検索対象建築図面作成画面１５は、利用者自身により任意の建築図面を作成することを可能とする。プロットエリア１５ａには、利用者自身が、ツールバー１５ｂの中から矩形、円弧、直線といった図形作成ツールより、任意の図面をプロットすることが出来る。
【００４６】
さらに、プロットした図面に対してリビング、ダイニング、キッチンといったオブジェクトを定義をすることができる。
また、定義したオブジェクトをクリック操作すると、サーバーコンピュータ１は、ネットワークを介して、オブジェクトコントロール画面１６を当該ネットワーク端末（Ｂ）のＷｅｂブラウザの閲覧画面上に表示させ、寸法入力欄１６ａ、１６ｂと任意の条件を入力できるオプション入力欄１６ｃに近似建築設計図面抽出に必要な情報を入力・指定することができる。
さらに決定ボタン１６１をクリック操作することで、オブジェクトの定義が完了したこととなる。
【００４７】
検索対象建築図面作成画面１５のプロットエリア１５ａにおいてプロットを終了し、決定ボタン１５１をクリック操作することにより、プロットした間取りなどの各種情報は、サーバーコンピュータ１を通じてサーバーコンピュータ２に受け渡され、サーバーコンピュータ２は、この情報に基づいて、データベース２ａに格納している建築設計図面からもっとも条件に合致する建築設計図面を抽出し、数点の候補と共に表示させるためのページファイルを生成するようにサーバーコンピュータ１に指示し、サーバーコンピュータ１は生成した建築図面検索結果一覧画面１７を利用者側ネットワーク端末のＷｅｂブラウザの閲覧画面上に表示させる。
【００４８】
この建築図面検索結果一覧画面１７は、利用者側が指定又は情報入力した検索条件に最も近似する建築設計図面を数点の候補とともに一覧表示させるものであり、間取り、面積、仕様などが建築設計図面とともに建築図面一覧表示エリア１７ａに表示されており、つまり利用者は、この一覧表示された候補建築設計図面の中から照明設計の対象となる図面にもっとも近似する建築設計図面を容易に抽出することができるのである。
【００４９】
さらに、現在候補表示している建築設計図面に対して、検索条件を再入力する機能を有する再検索ボタン１７１が存在する。
【００５０】
この建築図面検索結果一覧画面１７の建築図面一覧表示エリア１７ａの一つに対してクリック操作が発生するとサーバーコンピュータ２は、データベース２ａに格納している建築設計図面とその情報、さらにはその建築設計図面の特徴をこと細かく記載したページファイルを生成するようにサーバーコンピュータ１に指示し、サーバーコンピュータ１は生成した図４記載の建築図面確定画面１８を利用者側ネットワーク端末のＷｅｂブラウザの閲覧画面上に表示させる。
【００５１】
これまでの工程により照明設計の対象となる図面に最も近似した建築設計図面が確定された事となる。
【００５２】
これまでは照明設計の対象となる建築設計図面の確定をするまでのステップであり、確定された建築設計図面に対する照明設計のステップを図４に基づいて説明する
【００５３】
まず、建築図面確定画面１８は、照明設計対象となる建築図面画像表示エリア１８ａと、表示切替ボタン１８１と建築設計図面における間取り、寸法などの諸情報を細かく記載する建築概要表示欄１８ｂと照明設計を実行する照明設計実行ボタン１８２から構成される。
【００５４】
建築図面画像表示エリア１８ａには、初期状態で建築設計図面の平面図が表示されており、エリア下部の表示切替ボタン１８１をクリック操作することにより、表示エリア１８ａ上において、平面図→天井伏図→断面図の順で切り替え表示を行う。
【００５５】
次に、照明設計実行ボタン１８２がクリック操作されると、サーバーコンピュータ１は、ネットワークを介して、照明設計条件入力画面１９を当該ネットワーク端末（Ｂ）のＷｅｂブラウザの閲覧画面上に表示させる。
【００５６】
照明設計条件入力画面１９には、照明設計タイプ１９ａ、照明器具価格帯１９ｂ、インテリア仕様１９ｃの各入力欄と送信ボタン１９１で構成された表示画面からなり、システム利用者は、顧客の要望を元に、それぞれリストから選択する。
【００５７】
ここで、照明設計タイプ１９ａは、照明設計に関する予めシステム側で用意されたタイプを選択入力する欄であり、照明設計のイメージに合わせて、シャープ、オリジナル、スタンダードのリストより任意に選択できる。
【００５８】
また、照明器具価格帯１９ｂにおいては、低予算の器具で構成されるリーズナブルタイプ、標準品を使用するノーマルタイプ、高価な照明器具にて構成するハイグレードの各タイプを選択可能である。
これにより照明設計者は、顧客の予算ニーズに合わせた照明設計プランを作成することができる。
【００５９】
次に、インテリア仕様の選択入力欄１９ｃは、照明設計対象となる建物の仕様、インテリアの雰囲気に合わせて、モダン、クラシック、和風の各タイプより選択可能である。
【００６０】
なお、上述の照明設計タイプ、照明器具価格帯、インテリア仕様の各選択入力項目は、一例に過ぎず、特に限定されるものではない。
【００６１】
ここで、利用者が照明設計条件入力画面１９に条件を入力後、送信ボタン１９１をクリックすると、この情報は、サーバーコンピュータ１を通じてサーバーコンピュータ３に受け渡され、サーバーコンピュータ３はこの検索条件に基づき、照明設計後の各データ類を生成し、データベース３ａに格納するとともに各データ類をサーバーコンピュータ１に受け渡す。
【００６２】
サーバーコンピュータ１は受け取ったこれらのデータに基づいて照明配灯図２０ａを貼り付けた照明設計結果画面２０のページファイルを作成して当該インターネット端末（Ｂ）へ送出し、当該インターネット端末（Ｂ）のＷｅｂブラウザの閲覧画面上に表示させる。
【００６３】
ところで、この照明設計結果画面２０には、照明器具のＪＩＳ規格に基づいた配線用図記号でプロットした照明配灯図２０ａと、当該照明設計に使用されている照明器具を一覧表示する照明器具画像２０ｂ、またそれぞれの照明器具の器具承認図を抽出する承認図ボタン２０１、照明器具の他候補を表示する他候補ボタン２０２から構成する使用照明器具一覧エリアと、コンピュータグラフィックスイメージ作成ボタン２０３、プランボード出力ボタン２０４の各ボタンにて構成される。
【００６４】
ここで利用者が、上述の他候補ボタン２０２をクリック操作することで、予めシステムに登録されている照明器具の他候補を照明器具画像２０ｂ上に差し替え表示することできる。
【００６５】
ここで、照明設計結果画面２０のコンピュータグラフィックスイメージ作成ボタン２０３をクリック操作すると、サーバーコンピュータ１は、照明配灯図と使用照明器具の各データをサーバーコンピュータ３に送信し、サーバーコンピュータ３はその情報とデータベース３ａに格納しているインテリア仕様データを元に、３次元のコンピュータグラフィックスイメージを自動的に生成し、サーバーコンピュータ１を介して、ネットワーク端末（Ｂ）のＷｅｂブラウザにコンピュータグラフィックスイメージ一覧画面２１を表示させる。
【００６６】
このページには、主要な部屋の３次元の空間イメージをコンピュータグラフィックスにて表現したイメージ画像２１ａが表示される、これにより、利用者は照明設計による空間のイメージを詳しく知ることができる。
また、イメージ画像２１ａ上をクリック操作することで、拡大表示を可能としている
【００６７】
さらに、コンピュータグラフィックスイメージ一覧画面２１には調光シミュレーションボタン２１１と、ウォークスルーボタン２１２が存在する。
【００６８】
調光シミュレーションボタン２１１をクリックすると、サーバーコンピュータ１は当該ネットワーク端末のＷｅｂブラウザに調光シミュレーション画面２２を表示させる。
利用者は、この画面を構成する調光操作可能画像２２ａをポインティングデバイスおよびキーボードなどにて操作することにより、光の増減による空間イメージの変化を視覚的に確認することができる。
【００６９】
また、ウォークスルーボタン２１２をクリックすると、サーバーコンピュータ１はネットワーク端末（Ｂ）のＷｅｂブラウザにウォークスルー画面２３を表示させる。利用者は、この画面を構成するウォークスルー操作可能画像２３ａをポインティングデバイスおよびキーボードなどにて操作することにより、３次元コンピュータグラフィックス空間内において任意の視点で部屋の雰囲気を確認することが可能となる。
【００７０】
一方、照明設計結果画面２０のプランボード出力ボタン２０４をクリック操作すると、サーバーコンピュータ１は当該ネットワーク端末（Ｂ）のＷｅｂブラウザにプランボード照会画面２４を表示する。
この画面には、照明設計配灯図の図記号と使用照明器具画像の対応を示したプランボードを表示させるプランボード表示エリア２４ａと、使用照明器具の見積書類を出力する見積書出力ボタン２４１で構成される。
【００７１】
【発明の効果】
請求項１の自動照明設計方法の発明は、照明設計時において利用者側に設計対象となる建築設計図面の諸情報（間取りなど）から、それに近似する建築設計図面を自動的に検索し、さらにその建築設計図面に最適な照明設計を利用者のイメージに合わせた様々な条件毎に、ＷＥＢサイトを通じて公開する過程からなり、照明設計者は、近似建築設計図面と照明配灯図面を元に照明設計を施せばよく、照明設計者個人に有する能力・レベルに左右されること無く、常に高レベルの照明設計を提案することが出来る。
また、照明配灯図、照明器具承認図、照明器具写真なども本システムより入手することができ、照明設計業務の合理化による時間短縮を図ることができる。
これは、照明設計を依頼した顧客、さらには本システムを利用して照明設計を行う人物にとって有益なことである。
【００７２】
請求項２の照明効果閲覧方法の発明では、配光による建築物への照明効果を、コンピュータシステムにより生成された３次元のコンピュータグラフィックス画像を用いて確認できるステップからなり、照明設計者の頭の中だけにある照明効果による空間イメージを、視覚的に分かり易く、さらには照度の増減および空間における視点の変化をコンピュータを通じ、確認することができ、顧客に対して直感的にイメージを伝えることが出来るという効果がある。
【００７３】
請求項３の自動照明設計システムの発明は、請求項１又は２の自動照明設計方法と、照明効果閲覧方法を組み合わせ、照明設計時における一連の工程を自動化し、設計者の負担軽減と設計時間短縮および照明設計レベルの均一化を図るとともに、顧客に対して、直感的なプレゼンテーションを行えることができ、取引上有利となる効果がある。
【００７４】
請求項４の自動照明設計システムの発明では、請求項３の自動照明設計システムの発明において、照明設計工程に際し、予め建築設計図面を格納しているデータベースから、照明設計対象の図面と近似する建築設計図面を自動抽出する機能を持ち、照明設計者は、その情報を元に照明設計をすればよく、照明設計業務における合理化を図ることが出来るという効果がある。
【００７５】
請求項５の自動照明設計システムの発明では、請求項３又は４記載の自動照明設計システムにおいて、抽出した近似建築設計図面と照明設計条件から、最適な照明設計を抽出する機能と、さらに、照明配灯図面、イメージ画像、部屋別の使用照明器具、使用照明器具の他候補の表示、照明器具承認図の抽出機能など照明設計時に必要な一連の情報を本システムにて取得できるとともに、情報の加工利用を可能とし、照明設計時における業務の効率化を図ることが出来るという効果がある。
特に、使用照明器具に関しては他候補照明器具抽出機能により、各製造メーカーのカタログを繰り返し参照しながら比較検討する場合の不便さを解消することができるという効果がある。
【００７６】
請求項６の自動照明設計システムの発明では、請求項３又は５記載の自動照明設計システムにおいて、照明設計を依頼した顧客に対して、照明設計者側が、照明設計による建築物の照明効果をいかに直感的に理解してもらうかという課題において、３次元のコンピュータグラフィックスで生成したシーン別の立体イメージ図と、さらにその立体イメージ図に対して、任意の操作制御が可能なウォークスルー機能と調光機能を実装することにより、建築設計図面と照明器具写真だけでは想像が難しかった照明効果による空間イメージをコンピュータシステムを通じて判りやすく伝えることが出来るという効果がある。
【００７７】
請求項７の自動照明設計サーバーの発明では、利用者側ネットワーク端末から要求された情報を元に、建築設計図面、照明設計情報を格納するデータベースと連携し、近似建築設計図面検索機能、照明設計機能、コンピュータグラフィックス生成機能より抽出される情報をオンラインで利用者側ネットワークに提供することができ、利用者はその情報を元に照明設計を行うことができるとともに照明設計業務に必要な情報の取得および加工利用を可能としているので、照明設計業務の効率化を図ることができるという効果がある。
さらには、光の増減による照明効果および視点の変化による空間の印象を、利用者側で制御できる機能をもち、光による空間イメージを的確かつ判りやすく伝えることができるという効果がある。
【図面の簡単な説明】
【図１】本発明の一実施形態の自動照明設計システムの構成図である。
【図２】同上の自動照明設計システムの機能概要に関する説明図である。
【図３】同上の自動照明設計システムのＷｅｂページの流れ説明である。
【図４】同上の自動照明設計システムのＷｅｂページの流れ説明である。
【図５】同上の自動照明設計システムのＷｅｂページの流れ説明である
【図１】
2004252530.tif 000003
【図２】
2004252530.tif 000004
【図３】
2004252530.tif 000005
【図４】
2004252530.tif 000006
【図５】
2004252530.tif 000007
【手続補正書】
【提出日】平成15年3月14日(2003.3.14)
【手続補正１】
【補正対象書類名】明細書
【補正対象項目名】特許請求の範囲
【補正方法】変更
【補正の内容】
【特許請求の範囲】
【請求項１】
一般住宅建築物における照明設計工程の円滑化と照明設計レベルの均一化を目的とし、該ＷＥＢサイトを通じ、利用者側に、照明設計対象となる建築図面と近似する図面を自動的に検索するステップと、近似図面に対する最も効果的な照明設計を条件別に自動抽出する過程を通じ、照明設計時の作業工程のシステム化と、照明設計者のレベルに関わらず一定水準の照明設計方法を具現化するステップとから成ることを特徴とする自動照明設計方法。
【請求項２】
建築物への照明の配光による効果を、インターネットを介したコンピュータシステムを通じ、画像を用いて直感的に確認できるステップと、調光・ウォークスルー機能など双方向性を重視し、利用者側にて任意な操作を可能としたシステムを特徴とする照明効果閲覧方法。
【請求項３】
予め登録された利用者側のネットワーク端末と、該利用者側ネットワーク端末にネットワークを通じて接続される自動照明設計方法提供側システムとで構成され、利用者側ネットワーク端末に対して、上記の請求項１及び請求項２を具現化する情報を格納したデータベースを介して、近似建築設計図面、照明設計図面、イメージ画像を提供するＷＥＢ公開手段を少なくとも備えていることを特徴とする自動照明設計システム。
【請求項４】
上記提供側システムには、システムに格納された建築設計図面データベースを有し、利用者側ネットワークからの条件に対して、自動的に近似建築設計図面を検索し、数点の候補情報とともに提供する近似建築設計図面検索機能を有することを特徴とする請求項３記載の自動照明設計システム。
【請求項５】
上記提供側システムは、利用者側ネットワークに対して、抽出した近似建築設計図面から条件別に最適な照明設計図面を抽出する機能と、ＪＩＳ規格の配線用図記号にてプロットした照明配灯図面と使用照明器具を元に、３次元のコンピュータグラフィックスにて作成されたイメージ画像と部屋別の使用照明器具を提供するとともに、使用照明器具の他候補表示機能、器具承認図ダウンロード機能などを提供できるＷＥＢ公開手段を少なくとも備えていることを特徴とする請求項３又は４記載の自動照明設計システム。
【請求項６】
上記提供側システムは、ＷＥＢを通じて、建築物への照明による効果を、３次元のコンピュータグラフィックス画像を用いて直感的に確認でき、さらに、その画像に対して調光・ウォークスルー機能などの利用者側にて任意操作可能な機能を提供し、空間の雰囲気を視覚的に確認することが出来ることを特徴とする請求項３又至５の何れか記載の自動照明設計システム。
【請求項７】
建築設計図面、照明設計関連図面を格納するデータベースと、利用者側ネットワーク端末を介して、利用者側から要求される情報を元に近似建築設計図面検索機能、照明設計機能のステップから、照明配灯図面、イメージ画像、部屋別の使用照明器具などの一連の情報と機能を提供するＷＥＢサイトの公開機能を備えたことを特徴とする自動照明設計用サーバー。